【手続補正書】
【提出日】平成17年11月29日(2005.11.29)
【手続補正１】
【補正対象書類名】特許請求の範囲
【補正対象項目名】全文
【補正方法】変更
【補正の内容】
【特許請求の範囲】
【請求項１】
それぞれ多数の別個の薬剤服用量部分を保持した複数の細長い形態の薬剤キャリアと一緒に使用するための薬剤ディスペンサであって、前記複数の薬剤キャリアのそれぞれによって保持された前記別個の薬剤服用量部分を投薬するための投薬機構を備えてなり、前記投薬機構が、
a)前記複数の薬剤キャリアのそれぞれを収容するための収容ステーションと、
b)前記収容ステーションに収容された際に、前記複数の薬剤キャリアのそれぞれから別個の薬剤服用量部分を放出させる放出装置と、
c)前記放出装置によって放出可能な前記別個の薬剤服用量部分に連通するように位置決めされた出口と、
d)前記複数の薬剤キャリアのそれぞれの前記別個の薬剤服用量部分を個々に割り出すための割出し装置と、を備える薬剤ディスペンサ。
【請求項２】
2〜4個の細長い形態の薬剤キャリアと一緒に使用するための、請求項1に記載の薬剤ディスペンサ。
【請求項３】
共通の収容ステーションに前記複数の薬剤キャリアのそれぞれが収容されている、請求項1または2のいずれかに記載の薬剤ディスペンサ。
【請求項４】
それぞれ１個の薬剤キャリアを収容するための複数の別個の収容ステーションを備える、請求項1または2のいずれかに記載の薬剤ディスペンサ。
【請求項５】
前記放出装置が、前記薬剤キャリアに保持されている薬剤を破裂、穿通、引裂き、または剥がし作用によって取り出すための手段を備える、請求項1から4のいずれかに記載の薬剤ディスペンサ。
【請求項６】
前記放出装置が、可剥式のブリスターストリップ形態の薬剤キャリアを引き剥がすための剥取り装置を備える、請求項5に記載の薬剤ディスペンサ。
【請求項７】
前記出口が、前記別個の薬剤服用量部分を放出する際にその薬剤服用量部分に連通する単一の共通の出口である、請求項1から6のいずれかに記載の薬剤ディスペンサ。
【請求項８】
前記共通の出口が、前記放出された薬剤服用量部分の混合を促進するように形成されている、請求項7に記載の薬剤ディスペンサ。
【請求項９】
単一の割出し装置が、前記複数の薬剤キャリアのそれぞれを割り送る、請求項1から8のいずれかに記載の薬剤ディスペンサ。
【請求項１０】
それぞれ１個の薬剤キャリアを割り送るための複数の別個の割出し装置を備える、請求項1から8のいずれかに記載の薬剤ディスペンサ。
【請求項１１】
前記複数の別個の割出し装置が相互に結合されている、請求項10に記載の薬剤ディスペンサ。
【請求項１２】
互いに固定された２枚の可剥式のシートの長手方向に沿って間隔を置いて配置され且つそれらのシートの間に画定されている、薬剤服用量部分を収容するための多数の別個のポケットを有する複数のブリスターストリップ形態の薬剤キャリアと一緒に使用するための薬剤ディスペンサであって、前記複数の薬剤キャリア内に収容された前記薬剤服用量部分を投薬するための投薬機構を備えてなり、前記投薬機構が、
a)前記薬剤キャリアのそれぞれの１つのポケットを受け入れるための開封ステーションと、
b)前記開封ステーションの中に受け入れられたポケットの基部シートと蓋シートに係合してかかる基部シートと蓋シートを引き剥がし、かかるポケットを開封させるように位置決めされている剥取り装置と、
c)使用者が、このような開封済みのポケットから薬剤服用量部分を取り出すことができる、開封済みのポケットに連通するように位置決めされている出口と、
d)前記複数の薬剤キャリアのそれぞれの前記別個のポケットを個々に割り出すための割出し装置と、を備える請求項1に記載の薬剤ディスペンサ。
【請求項１３】
2〜4個のブリスターストリップと一緒に使用するための、請求項12に記載の薬剤ディスペンサ。
【請求項１４】
共通の開封ステーションに前記複数のブリスターストリップのそれぞれが受け入れられる、請求項12または13のいずれかに記載の薬剤ディスペンサ。
【請求項１５】
それぞれ１個のブリスターストリップを受け入れるための複数の別個の開封ステーションを備える、請求項12または13のいずれかに記載の薬剤ディスペンサ。
【請求項１６】
前記開封ステーションが、前記ディスペンサの内部で可動式である、請求項12から15のいずれかに記載の薬剤ディスペンサ。
【請求項１７】
前記可動式の開封ステーションが、使用に際して、前記複数のブリスターストリップのそれぞれの前記開封済みのポケットに隣接して位置するように移動するチャンバーを備える、請求項16に記載の薬剤ディスペンサ。
【請求項１８】
前記チャンバーが、ばね軸に沿って可動式に装着可能な支持体に設けられている、請求項17に記載の薬剤ディスペンサ。
【請求項１９】
それぞれのブリスターストリップが、共通の剥取り装置の作用を受ける、請求項12から18のいずれかに記載の薬剤ディスペンサ。
【請求項２０】
それぞれのブリスターストリップが、別個の剥取り装置の作用を受ける、請求項12から18のいずれかに記載の薬剤ディスペンサ。
【請求項２１】
前記剥取り装置が、前記開封ステーションに受け入れられたポケットの前記蓋シートと前記基部シートを引き剥がすための蓋駆動装置を含む、請求項12から20のいずれかに記載の薬剤ディスペンサ。
【請求項２２】
前記蓋駆動装置が、前記蓋シートを巻き取る車を備え、前記車は、全体的にほぼ一定の有効巻取り径を提供するために、その車の回りに前記蓋シートが巻き付けられるにつれて漸次折り畳まるように構成されている、請求項21に記載の薬剤ディスペンサ。
【請求項２３】
前記蓋駆動装置の動きを制御するための制御手段をさらに備え、それによって剥ぎ取られるブリスターストリップの長さが制御される、請求項21または22のいずれかに記載の薬剤ディスペンサ。
【請求項２４】
前記制御手段がクラッチを備える、請求項23に記載の薬剤ディスペンサ。
【請求項２５】
前記蓋駆動装置の引張力の変化を補正するための補正手段をさらに備える、請求項21から24のいずれかに記載の薬剤ディスペンサ。
【請求項２６】
前記補正手段が、前記開封ステーションと前記蓋駆動装置の間に位置決めされた柔軟部材の形態を有する、請求項25に記載の薬剤ディスペンサ。
【請求項２７】
前記柔軟部材が可変長ばねを備える、請求項26に記載の薬剤ディスペンサ。
【請求項２８】
前記補正手段が、前記蓋駆動装置に装着可能なねじりばねを備える、請求項25に記載の薬剤ディスペンサ。
【請求項２９】
前記蓋シートと基部シートの引き剥がし後に、前記蓋シートと基部シートを別々の経路に沿って案内するための案内部をさらに備える、請求項12から28のいずれかに記載の薬剤ディスペンサ。
【請求項３０】
前記割出し装置が、複数のブリスター・ポケット係合凹部が設けられている回転自在の割出し車を備える、請求項12から29のいずれかに記載の薬剤ディスペンサ。
【請求項３１】
開封前に、前記複数の薬剤キャリアを収容し、且つ開封後に、前記薬剤キャリアの蓋シートと基部シートを収容するチャンバーをさらに備える、請求項12から30のいずれかに記載の薬剤ディスペンサ。
【請求項３２】
前記投薬機構のいずれかまたはすべての構成要素が、電子駆動システムによって駆動可能である、請求項1から31のいずれかに記載の薬剤ディスペンサ。
【請求項３３】
電子データ管理システムをさらに備える、請求項1から32のいずれかに記載の薬剤ディスペンサ。
【請求項３４】
再装填可能な形態にある、請求項1から33のいずれかに記載の薬剤ディスペンサ。
【請求項３５】
本体と、前記本体の内部に嵌合するように形成され且つ前記本体に対して可動式のホルダと、前記ホルダによって収容可能である、複数の細長い形態の薬剤キャリアを収容する再装填カセットとを備える、請求項34に記載の薬剤ディスペンサ。
【請求項３６】
部品キットの形態にある、請求項34または35のいずれかに記載の薬剤ディスペンサ。
【請求項３７】
それぞれ多数の別個の服用量部分を保持した複数の細長い形態の薬剤キャリアを備える、請求項1から36のいずれかに記載の薬剤ディスペンサ。
【請求項３８】
前記多数の別個の服用量部分が、それぞれの服用量部分が別々に取り出し可能であるように、前記キャリアの上で連続的な列として配置されている、請求項37に記載の薬剤ディスペンサ。
【請求項３９】
それぞれの薬剤キャリアがストリップまたはテープの形態にある、請求項37または38のいずれかに記載の薬剤ディスペンサ。
【請求項４０】
それぞれの薬剤キャリアがブリスター包装の形態にある、請求項37から39のいずれかに記載の薬剤ディスペンサ。
【請求項４１】
前記ブリスター包装形態の薬剤キャリアが可剥式のブリスターストリップを含む、請求項40に記載の薬剤ディスペンサ。
【請求項４２】
前記可剥式ブリスターストリップが、別個の薬剤服用量部分を収容するためのポケットを画定するようにブリスターが形成されている基部シートと、前記ブリスターの領域を除いて前記基部シートに気密封止可能な蓋シートとを備え、前期蓋シートと基部シートが引き剥がし可能な様式である、請求項41に記載の薬剤ディスペンサ。
【請求項４３】
前記蓋シートが、少なくとも下記の連続層、すなわち(a)紙と、(a)紙に接着された(b)ポリエステルと、(b)ポリエステルに接着された(c)アルミ箔からなる連続層を含み、前記基部シートに接着するための熱融着ラッカーが塗布されている、請求項42に記載の薬剤ディスペンサ。
【請求項４４】
前記基部シートが、少なくとも下記の連続層、すなわち(a)配向ポリアミド(OPA)と、(a)配向ポリアミドに接着された(b)アルミ箔と、(b)アルミ箔に接着された、高分子材料を含む(c)第3層からなる連続層を含む、請求項42または43のいずれかに記載の薬剤ディスペンサ。
【請求項４５】
それぞれの薬剤キャリアが、均一の服用量部分を保持するようにサイズ決めされ且つ形成されている、請求項37から44のいずれかに記載の薬剤ディスペンサ。
【請求項４６】
それぞれの薬剤キャリアが、不均一の服用量部分を保持するようにサイズ決めされ且つ形成されている、請求項37から44のいずれかに記載の薬剤ディスペンサ。
【請求項４７】
それぞれの薬剤キャリアの前記多数の別個の服用量部分が等間隔で配置されている、請求項37から46のいずれかに記載の薬剤ディスペンサ。
【請求項４８】
それぞれの薬剤キャリアの前記多数の別個の服用量部分が、それぞれの服用量部分の間隔が漸次増大するように配置されている、請求項37から46のいずれかに記載の薬剤ディスペンサ。
【請求項４９】
前記多数の別個の服用量部分の間隔が、それぞれの薬剤キャリアについて均一である、請求項37から48のいずれかに記載の薬剤ディスペンサ。
【請求項５０】
前記多数の別個の服用量部分の間隔が、それぞれの薬剤キャリアについて不均一である、請求項37から48のいずれかに記載の薬剤ディスペンサ。
【請求項５１】
2つの薬剤キャリアを備え、第1薬剤キャリアの別個の服用量部分の間の間隔が、第2薬剤キャリアの別個の服用量部分の間の間隔の2倍である、請求項50に記載の薬剤ディスペンサ。
【請求項５２】
前記薬剤キャリアが、「並列」構成で前記ディスペンサの中に配置されている、請求項37から51のいずれかに記載の薬剤ディスペンサ。
【請求項５３】
前記薬剤キャリアが、「2段」構成で前記ディスペンサの中に配置されている、請求項37から51のいずれかに記載の薬剤ディスペンサ。
【請求項５４】
前記薬剤キャリアが、「背中合せ」構成で前記ディスペンサの中に配置されている、請求項37から51のいずれかに記載の薬剤ディスペンサ。
【請求項５５】
前記複数の細長い形態の薬剤キャリアが、多数の別個の薬剤服用量部分からなる複数の列を有する単一の結合キャリアとして構成されている、請求項37から54のいずれかに記載の薬剤ディスペンサ。
【請求項５６】
多数の別個の薬剤服用量部分からなる前記複数の列が、互いに並列に配置されている、請求項55に記載の薬剤ディスペンサ。
【請求項５７】
それぞれの薬剤キャリアが、連続ループの形態を有する、請求項37から56のいずれかに記載の薬剤ディスペンサ。
【請求項５８】
前記薬剤キャリアが、基部シートと、基部シートに可剥式に固定可能な蓋シートとを含む可剥式のストリップの形態にあり、基部シートが連続ループとして形成されている、請求項57に記載の薬剤ディスペンサ。
【請求項５９】
前記蓋シートが連続ループの形態にある、請求項58に記載の薬剤ディスペンサ。
【請求項６０】
前記蓋シートがストリップの形態にある、請求項58に記載の薬剤ディスペンサ。
【請求項６１】
前記それぞれの薬剤キャリアが、粉末状または固形の形態の別個の薬剤服用量部分を保持している、請求項37から60のいずれか1項に記載の薬剤ディスペンサ。
【請求項６２】
それぞれの薬剤キャリアのそれぞれの薬剤服用量部分が、単一の活性薬剤成分を含む、請求項61に記載の薬剤ディスペンサ。
【請求項６３】
前記単一の活性薬剤成分が、アルブテロール、サルメテロール、プロピオン酸フルチカゾン、ホルモテロール、ブデソニド、およびジプロピオン酸ベクロメタゾン、ならびにそれらの塩または溶媒和物からなる群から選択される、請求項62に記載の薬剤ディスペンサ。
【請求項６４】
2つの薬剤キャリアを備え、第1薬剤キャリアのそれぞれの薬剤服用量部分が、前記活性薬剤成分として気管支拡張剤を含み、また第2薬剤キャリアのそれぞれの薬剤服用量部分が、前記活性薬剤成分として抗炎症剤を含む、請求項62に記載の薬剤ディスペンサ。
【請求項６５】
前記気管支拡張剤がベータ・アゴニストであり、また前記抗炎症剤がステロイドである、請求項64に記載の薬剤ディスペンサ。
【請求項６６】
少なくとも1つの薬剤キャリアのそれぞれの薬剤服用量部分が、複数の活性薬剤成分を含む、請求項61に記載の薬剤ディスペンサ。
【請求項６７】
2つの薬剤キャリアを備え、第1薬剤キャリアのそれぞれの薬剤服用量部分が、単一の活性薬剤成分を含み、また第2薬剤キャリアのそれぞれ薬剤服用量部分が、複数の活性薬剤成分を含む、請求項66に記載の薬剤ディスペンサ。
【請求項６８】
前記複数の活性薬剤が、気管支拡張剤および抗炎症剤を含む、請求項67に記載の薬剤ディスペンサ。
【請求項６９】
前記気管支拡張剤がベータ・アゴニストであり、また前記抗炎症剤がステロイドである、請求項68に記載の薬剤ディスペンサ。